(57)【要約】【課題】  ２つの部材を屈曲自在かつ回転自在に接続する継手構造を提供する。【解決手段】  流体又は流動体が流通する流路を有する２つの部材４０、４３間を屈曲自在かつ回転自在に接続する継手構造１であって、一方の前記部材４０に取り付けられる雄継手３と、他方の前記部材４３に取り付けられる雌継手１５とを備える。雄継手３は、雌継手１５側の端部に、外周面の一部が球面状に形成された摺動部６が設けられるとともに、一方の部材４０の流路と連通する貫通孔４が、その一端が摺動部６において開口するように設けられ、雌継手１５は、内周面の一部に雄継手３の摺動部６を回転自在に支持する球面からなる軸受部３０が設けられるとともに、他方の部材４３の流路と連通する貫通孔１６が設けられ、かつ、この貫通孔１６は、２つの部材４０、４３の屈曲角度に関わらず雄継手３の貫通孔４と連通し、さらに、雌継手１５は、軸受部３０の球面を通る分割面において、少なくとも２つの部分に分割可能に構成されている。【選択図】        図５
2012107646.tif 000002
【特許請求の範囲】
【請求項１】
流体又は流動体が流通する流路を有する２つの部材間を屈曲自在かつ回転自在に接続する継手構造であって、
一方の前記部材に取り付けられる雄継手と、他方の前記部材に取り付けられる雌継手とを備え、
前記雄継手は、前記雌継手側の端部に、外周面の一部が球面状に形成された摺動部が設けられるとともに、前記一方の部材の流路と連通する貫通孔が、その一端が前記摺動部において開口するように設けられ、
前記雌継手は、内周面の一部に前記雄継手の摺動部を回転自在に支持する球面からなる軸受部が設けられるとともに、前記他方の部材の流路と連通する貫通孔が設けられ、かつ、該貫通孔は、前記２つの部材の屈曲角度に関わらず前記雄継手の貫通孔と連通し、さらに、当該雌継手は、前記軸受部の球面を通る分割面において、少なくとも２つの部分に分割可能に構成されていることを特徴とする継手構造。
【請求項２】
前記雌継手は、前記少なくとも２つの部分に分割された状態で前記雄継手に取り付けられるとともに、前記少なくとも２つの部分の分割面同士が互いに結合された状態で、ねじ締結体によって前記雄継手に取り付けられた状態に固定されることを特徴とする請求項１に記載の継手構造。
【請求項３】
前記雄継手の摺動部の外周面には、前記雌継手の軸受部の内周面との間をシールするシール材が装着されていることを特徴とする請求項１又は２に記載の継手構造。
【請求項４】
前記雄継手又は前記雌継手の何れか一方の貫通孔は、直孔に形成され、前記雄継手又は前記雌継手の何れか他方の貫通孔は、何れか一方の貫通孔側が大径のテーパ孔に形成されていることを特徴とする請求項１〜３の何れか１項に記載の継手構造。
【請求項５】
前記２つの部材は、配管又はホースであることを特徴とする請求項１〜４の何れか１項に記載の継手構造。
【請求項６】
前記２つの部材は、一方が配管又はホースであり、他方が流体又は流動体を噴射させる噴射装置の端部に設けられた接続口であることを特徴とする請求項１〜４の何れか１項に記載の継手構造。
【発明の詳細な説明】
【技術分野】
【０００１】
本発明は、継手構造に関し、特に、気体、液体等の流体や、粉体、モルタル等の流動体を圧送させる部材の接続に有効な継手構造に関する。
【背景技術】
【０００２】
従来、気体、液体等の流体や、粉体、モルタル等の流動体を圧送させる２つの部材の接続には各種の継手が用いられ、例えば、図１５及び図１６に示すように、モルタル吹付装置５０のモルタル圧送ホース４０への吹付ガン４１の取り付けには、ワンタッチ式のカップリング４５が用いられている。
【０００３】
このカップリング４５は、ソケット４６と、ソケット４６に着脱自在に嵌合されるプラグ４７とを備えたものであって、例えば、ソケット４６を吹付ガン４１のモルタル供給口４３に取り付け、プラグ４７をモルタル圧送ホース４０の先端に取り付け、ソケット４６にプラグ４７を嵌合させることにより、モルタル圧送ホース４０の先端に吹付ガン４１を取り付けることができる。
【０００４】
モルタル吹付装置５０は、例えば、図８に示すように、道路や橋梁等の既設の床版６０の下面を増厚補強する増厚補強工法に用いられる。具体的には、図８に示すように、既設の床版６０の下面側に補強用の鉄筋６１、６２を取り付け、図１６のモルタル吹付装置５０を作動させて、コンプレッサー５１からエア圧送ホース５２を介して吹付ガン４１にエアを供給し、急結剤ポンプ５３から急結剤圧送ホース５４を介して吹付ガン４１に急結剤を供給し、モルタルミキサー５５から、モルタルポンプ５６及びモルタル圧送ホース４０を介して吹付ガン４１にモルタル６５を供給し、吹付ガン４１のノズル４２からエアの圧力により、床版６０の下面に向けてモルタル６５と急結剤との混合物（以下、この混合物をモルタル６５という。）を噴射させることにより、床版６０の下面側にモルタル６５を吹き付ける。
【０００５】
この場合、図８に矢印で示すように、各縦筋６１又は各横筋６２に沿ってモルタル圧送ホース４０及び吹付ガン４１を移動させながら吹き付ける。その際、図１７（ａ）、（ｂ）に示すように、各縦筋６１又は各横筋６２と床版６０の下面との間に向けて、左右両側からモルタル６５を吹き付けることにより、各縦筋６１又は各横筋６２と床版６０の下面との間にモルタル６５を充填させ、各縦筋６１及び各横筋６２をモルタル６５内に埋没させる。そして、この後、図１７（ｃ）に示すように、床版６０の下面側の全体に所定の厚さでモルタル６５を吹き付け、図１７（ｄ）に示すように、モルタル６５の表面が平滑になるようにコテ６３で均す。
【０００６】
特許文献１には、気体、液体等の流体や、粉体、モルタル等の流動体を圧送させる２つの部材の接続に用いられる継手の他の例が記載されている。この継手（以下、アタッチメントという。）は、浴中気泡水流発生装置から気泡水流を身体の各部にあてるために用いられるものであって、導水管の先端に設けられるとともに、内面が球面に形成される球状継手と、球状継手の内面側に摺動自在に嵌合される外面が球面に形成された気泡水流噴射ノズルとを備え、気泡水流噴射ノズルの基端側を導水管の先端側の球状継手の内面側で摺動させることにより、導水管に対する気泡水流噴射ノズルの角度を調整することができるというものである。
【先行技術文献】
【特許文献】
【０００７】
【特許文献１】特開平５−２３３７３号公報
【発明の開示】
【発明が解決しようとする課題】
【０００８】
ところで、図１５及び図１６に示す吹付ガン４１は、上記のように、モルタル圧送ホース４０の先端に上記のカップリング４５を介して取り付けられ、モルタル圧送ホース４０に対して固定されており、しかも、モルタル圧送ホース４０は、モルタル６５の噴射圧に耐え得るために硬質の材料から形成されており、曲がりにくいため、図１７に示すように、吹付ガン４１の向きを変えてモルタル６５の噴射角度を調整するには、作業者がモルタル圧送ホース４０及び吹付ガン４１を手で持った状態で作業位置を変えなければならない。
【０００９】
このため、モルタル６５の吹付に非常に手間がかかり、作業者の負担も増大する。また、吹付ガン４１からのモルタルの噴射角度の微調整が難しいため、吹付ガン４１からのモルタルの噴射角度によっては床版６０の下面からのリバウンドが多くなり、モルタル６５の無駄が多量に生じることになる。さらに、小回りがきかないため、モルタル６５の吹き付け作業に非常に手間がかかることになる。
【００１０】
また、特許文献１に記載のアタッチメントは、球状継手の内面側に気泡水流噴射ノズルを首振り自在に嵌合させる際に、導水管の先端の球状継手を弾性変形させる必要があるため、モルタルを噴射させる吹付ガンのように、高圧が作用する部分に適用した場合には、モルタルを噴射させる際の圧力で球状継手の継手部分が変形して、継手部分において吹付ガンがモルタル圧送ホースから外れるおそれがある。
【００１１】
本発明は、上記のような従来の問題に鑑みなされたものであって、気体、液体等の流体や、粉体、モルタル等の流動体を高圧で噴射させる吹付ガンのホースへの接続等、高圧が作用する場合にも適用できるとともに、モルタル等の流動体を高圧で噴射させる吹付ガンのホースへの接続等に用いた場合には、吹き付け作業を効率良く行うことができる継手構造を提供することを目的とする。
【課題を解決するための手段】
【００１２】
上記のような課題を解決するために、本発明は、以下のような手段を採用している。
すなわち、本発明は、流体又は流動体が流通する流路を有する２つの部材間を屈曲自在かつ回転自在に接続する継手構造であって、一方の前記部材に取り付けられる雄継手と、他方の前記部材に取り付けられる雌継手とを備え、前記雄継手は、前記雌継手側の端部に、外周面の一部が球面状に形成された摺動部が設けられるとともに、前記一方の部材の流路と連通する貫通孔が、その一端が前記摺動部において開口するように設けられ、前記雌継手は、内周面の一部に前記雄継手の摺動部を回転自在に支持する球面からなる軸受部が設けられるとともに、前記他方の部材の流路と連通する貫通孔が設けられ、かつ、該貫通孔は、前記２つの部材の屈曲角度に関わらず前記雄継手の貫通孔と連通し、さらに、当該雌継手は、前記軸受部の球面を通る分割面において、少なくとも２つの部分に分割可能に構成されていることを特徴とする。
【００１３】
本発明の継手構造によれば、一方の部材に雄継手を取り付け、他方の部材に雌継手を取り付け、雄継手の摺動部を雌継手の軸受部で回転自在に支持することで、一方の部材と他方の部材とを屈曲自在かつ回転自在に接続することができる。この場合、雌継手は、軸受部の球面を通る分割面において、少なくとも２つの部分に分割可能に構成されているので、雌継手を弾性変形させることなく、雄継手に取り付けることができ、雄継手への雌継手の取り付け、取り外しを容易に行うことができ、メンテナンスを容易に行うことができる。さらに、高圧が作用する部分に適用した場合であっても、雌継手が変形して、雄継手から外れるようなことはない。さらに、雄継手の摺動部を雌継手の軸受部によって回転自在に支持した簡単な構造のものであるので、製作を容易にすることができ、製作費を削減することができる。
【００１４】
また、本発明において、前記雌継手は、前記少なくとも２つの部分に分割された状態で前記雄継手に取り付けられるとともに、前記少なくとも２つの部分の分割面同士が互いに結合された状態で、ねじ締結体によって前記雄継手に取り付けられた状態に固定されることとしてもよい。
【００１５】
本発明の継手構造によれば、雌継手を、軸受部の球面を通る分割面において、少なくとも２つの部分に分割した状態で雄継手に取り付け、雌継手の少なくとも２つの部分の分割面同士を互いに結合させた状態でねじ締結体により締結することにより、雌継手を雄継手に取り付けた状態に固定することができる。従って、雌継手の雄継手への取り付け、取り外しを容易に行うことができる。また、雌継手を、少なくとも２つの部分の分割面同士を互いに結合した状態で、ねじ締結体によって雄継手に取り付けた状態に固定しているので、モルタルの圧送等の高圧が作用する部分にも適用することができる。
【００１６】
さらに、本発明において、前記雄継手の摺動部の外周面には、前記雌継手の軸受部の内周面との間をシールするシール材が装着されていることとしてもよい。
【００１７】
本発明の継手構造によれば、雄継手の摺動部の外周面に装着されたシール材により、雄継手の摺動部の外周面と雌継手の軸受部の内周面との間がシールされる。また、シール材により雄継手の摺動部の外周面と雌継手の軸受部の内周面との間をシールした状態で、雄継手と雌継手とを相対的に屈曲かつ回転させることにより、雄継手と雌継手の貫通孔間を流通する流体又は流動体を両継手の屈曲方向に押し出すことが可能となり、両継手の摺動部と軸受部との間に流体又は流動体が滞留するのを防止でき、雄継手の摺動部を雌継手の軸受部で回転自在に支持し続けることができる。
【００１８】
さらに、本発明において、前記雄継手又は前記雌継手の何れか一方の貫通孔は、直孔に形成され、前記雄継手又は前記雌継手の何れか他方の貫通孔は、何れか一方の貫通孔側が大径のテーパ孔に形成されていることとしてもよい。
【００１９】
本発明の継手構造によれば、雌継手に対して雄継手を回転させて、雌継手の貫通孔と雄継手の貫通孔とのなす角度を変更した場合にも、直孔からなる貫通孔の延長上にテーパ孔からなる貫通孔の大径側の開口を位置させることができるので、両貫通孔間の接続部が流体又は流動体の流通を阻害するようなことなく、両貫通孔間で流体又は流動体を円滑に流通させることができる。
【００２０】
さらに、本発明において、前記２つの部材は、配管又はホースであることとしてもよい。
【００２１】
本発明の継手構造によれば、配管間、又はホース間を屈曲自在かつ回転自在に接続することができるので、一方の配管又はホースに対する他方の配管又はホースの取付角度を自在に変更することができる。
【００２２】
さらに、本発明において、前記２つの部材は、一方が配管又はホースであり、他方が流体又は流動体を噴射させる噴射装置の端部に設けられた接続口であることとしてもよい。
【００２３】
本発明の継手構造によれば、配管又はホースと噴射装置とを屈曲自在かつ回転自在に接続することができるので、配管又はホースに対する噴射装置の取付角度を自在に調整することができ、噴射装置を配管又はホースに首振り自在に取り付けることができる。
【発明の効果】
【００２４】
以上、説明したように、本発明の継手構造によれば、気体、液体等の流体や、粉体、モルタル等の流動体を高圧で噴射させる吹付ガンのホースへの接続のように、高圧が作用する場合にも適用することができる。
【図面の簡単な説明】
【００２５】
【図１】本発明による継手構造の一実施の形態を示した斜視図であって、管継手を分解した状態を示した説明図である。
【図２】図１の管継手の断面図である。
【図３】図２の管継手の分解図であって、（ａ）は雌継手の断面図、（ｂ）は、分解した雌継手と雄継手との関係を示した断面図である。
【図４】図１の管継手の雌継手を吹付ガンに取り付け、雄継手及び雌継手の締付リングをモルタル圧送ホースに取り付けた状態を示した説明図である。
【図５】図４の管継手の雌継手と雄継手とを組み立て、この管継手を介して吹付ガンをモルタル圧送ホースの先端に取り付けた状態を示した説明図である。
【図６】図５の吹付ガンをモルタル圧送ホースに対して屈曲させた状態を示した説明図である。
【図７】モルタル供給装置に本実施の形態の継手構造を用いて吹付ガンを取り付けた状態を示した概略図である。
【図８】床版の下面へのモルタルの吹き付け手順を示した説明図であって、床版の下面に補強用の鉄筋を取り付けた状態を示した説明図である。
【図９】吹付ガンによる床版の下面へのモルタルの吹き付け手順を示した説明図であって、鉄筋の左方から鉄筋と床版の下面との間にモルタルを吹き付けている状態を示した説明図である。
【図１０】吹付ガンによる床版の下面へのモルタルの吹き付け手順を示した説明図であって、鉄筋の右方から鉄筋と床版の下面との間にモルタルを吹き付けている状態を示した説明図である。
【図１１】吹付ガンによる床版の下面へのモルタルの吹き付け手順を示した説明図であって、床版の下面の全体にモルタルを吹き付けている状態を示した説明図である。
【図１２】吹付ガンによる床版の下面へのモルタルの吹き付け手順を示した説明図であって、モルタルの表面をコテで均している状態を示した説明図である。
【図１３】本発明による継手構造の他の実施の形態を示した概略図であって、管継手を分解した状態を示した説明図である。
【図１４】図１３の管継手を組み立てた状態を示した概略図である。
【図１５】従来の継手構造の一例を示した概略図であって、吹付ガンを管継手を介してモルタル圧送ホースに取り付けた状態を示した説明図である。
【図１６】図１５の管継手を用いて吹付ガンをモルタル供給装置に取り付けた状態示した説明図である。
【図１７】図１６のモルタル供給装置及び吹付ガンを用いて床版の下面へモルタルを吹き付ける手順を示した説明図である。
【発明を実施するための形態】
【００２６】
以下、図面を参照しながら本発明の実施の形態について説明する。
図１〜図６には、本発明による継手構造の一実施の形態が示されている。本実施の形態の継手構造１は、２つの部材４０、４３を屈曲自在かつ回転自在に接続するのに有効なものであって、本実施の形態では、図７に示すモルタル噴射装置５０のモルタル圧送ホース４０を一方の部材とし、吹付ガン４１のモルタル供給口４３を他方の部材とし、モルタル圧送ホース４０の先端に吹付ガン４１を取り付けるのに適用している。
【００２７】
すなわち、本実施の形態の継手構造１は、図１〜図６に示すように、相対的に屈曲自在かつ回転自在に連結される雄継手３と雌継手１５とからなる管継手２を備え、この管継手２の雄継手３を一方の部材としてのモルタル圧送ホース４０の先端に取り付け、雌継手１５を他方の部材としての吹付ガン４１のモルタル供給口４３に取り付け、雌継手１５で雄継手３を回転自在に支持することにより、モルタル圧送ホース４０に吹付ガン４１を屈曲自在かつ回転自在（首振り自在）に取り付けたものである。
【００２８】
雄継手３は、図１〜図６に示すように、各種の合成樹脂又は金属から形成される略筒状をなすものであって、中心部に円形断面の貫通孔４が軸線方向に貫通した状態で設けられている。雄継手３の先端部（モルタル圧送ホース４０に接続される側とは反対側の端部）の外周面は所定の曲率半径の球面からなる摺動部６に形成され、基端部の外周面は雄ねじ部９に形成されている。
【００２９】
雄継手３の外周面の摺動部６と雄ねじ部９との間には、雄ねじ部９よりも大径の大径部１０が設けられ、この大径部１０には、大径部１０の一部を四角形状に面取りすることによって形成されたスパナ掛け部１１が設けられている。
【００３０】
雄継手３の外周面の大径部１０と摺動部６との間には、大径部１０よりも小径の小径部１２が設けられ、この小径部１２と大径部１０との間には、小径部１２から大径部１０に向かって順次大径となるテーパ面のテーパ部１３が設けられている。
【００３１】
雄継手３は、基端部の雄ねじ部９にカップリング４５のソケット４６を取り付け、モルタル圧送ホース４０の先端にカップリング４５のプラグ４７を取り付け、プラグ４７をソケット４６に嵌合させることにより、モルタル圧送ホール４０の先端に着脱自在に取り付けられる。
【００３２】
図２及び図４に示すように、雄継手３の摺動部６の先端部側の端部には、所定の深さのパッキン溝７が摺動部の全周に亘って環状に設けられ、このパッキン溝７内にシール材としてのＯリング８が装着されている。この場合、パッキン溝７内にＯリング８を装着した際に、パッキン溝７からＯリング８が所定量突出するように、パッキン溝７及びＯリング８の各部の寸法が設定されている。
【００３３】
なお、Ｏリング８に限らず、各種のシール材を用いることができる。要は、雄継手３の摺動部６の外周面と雌継手１５の軸受部３０の内周面との間をシールできる機能を有するものであればよい。
【００３４】
雌継手１５は、図１〜図６に示すように、合成樹脂又は金属から形成される略筒状をなすものであって、中心部に円形断面の貫通孔１６が軸線方向に貫通した状態で設けられている。雌継手１５の外周面は、基端（吹付ガン４１のモルタル供給口４３に接続される側の端部側）から先端（雄継手３に接続される側の端部側）に向かって小径部２２、中径部２４、大径部２６の３段に形成され、中径部２４と大径部２６との間が中径部２４から大径部２６にかけて順次大径となるテーパ面のテーパ部２７に形成されている。
【００３５】
雌継手１５の貫通孔１６は、小径部２２及び中径部２４に対応する部分が雄継手３の貫通孔４と同一寸法の直孔２８に形成され、テーパ部２７に対応する部分が中径部２４から大径部２６に向かって順次大径となるテーパ孔２９に形成され、大径部２６に対応する部分が後述する軸受部３０に形成されている。
【００３６】
テーパ孔２９のテーパ角度は、雄継手３の雌継手１５に対する屈曲角度に対応した値に設定される。例えば、雄継手３の雌継手１５に対する屈曲角度を雌継手１５の軸線に対して１０°に設定する場合には、雄継手３を１０°に屈曲させたときに、雄継手３の貫通孔４の延長線が雌継手１５のテーパ孔２９の開口端又は開口端よりも内面側に位置するように、テーパ孔２９のテーパ角度が設定される。
【００３７】
雌継手１５の小径部２２の外周面は、所定の雄ねじ部２３に形成され、この雄ねじ部２３を吹付ガン４１のモルタル供給口４３の雌ねじ部４４に螺合させることにより、吹付ガン４１のモルタル供給口４３に雌継手１５が取り付けられる。雌継手１５の中径部２４には、中径部２４の一部を四角形状に面取りすることによって形成されたスパナ掛け部２５が設けられている。
【００３８】
雌継手１５の大径部２６の内周面は、雄継手３の摺動部６と同一の球面からなる軸受部３０に形成されている。これにより、雌継手１５の軸受部３０の内周面で雄継手３の摺動部６の外周面をガタが生じることなく円滑に回転自在に支持することができる。
【００３９】
雌継手１５は、大径部２６における軸受部３０の球面の中心位置又はこれよりも基端側に寄った位置において、軸線と直交する方向に基端側の本体１７と先端側の締付リング１９の２つに分割、組立可能に構成されている。
【００４０】
図３に示すように、雌継手１５の本体１７と締付リング１９の分割位置が、軸受部３０の球面の中心Ａの位置又はこれよりも基端側に設定されていることにより、締付リング１９を分離した状態の本体１７の軸受部３０に雄継手３の摺動部６を、本体１７の分割端面と干渉することなく、収容することができる。
【００４１】
本体１７の分割面には、周方向に所定の間隔ごとに複数箇所にねじ孔１８が設けられ、各ねじ孔１８に対応する締付リング１９の部分には、締付リング１９を貫通する挿通孔２０が設けられている。締付リング１９を本体１７に密着させ、締付リング１９の各挿通孔２０内にねじ締結体としてのねじ２１を挿通させ、このねじ２１を本体１７のねじ孔１８に螺合させて締め付けることにより、本体１７に締付リング１９を一体に取り付けることができる。
【００４２】
そして、図４に示すように、雌継手１５の本体１７を雄ねじ部２３を介して吹付ガン４１のモルタル供給口４３に取り付け、雌継手１５の締付リング１９の内側に雄継手３を基端側から挿通させる。そして、図中矢印方向から雄継手３の摺動部６を雌継手１５の本体１７の軸受部３０の内側に挿入し、締付リング１９を本体１７に密着させ、図中矢印方向から締付リング１９の挿通孔２０内にねじ２１を挿通させ、このねじ２１を本体１７のねじ孔１８に螺合させて締め付けることにより、吹付ガン４１に雌継手１５及び雄継手３を取り付ける。
【００４３】
そして、雄継手の雄ねじ部９にカップリング４５のソケット４６を取り付け、モルタル圧送ホース４０の先端にカップリング４５のプラグ４７を取り付け、プラグ４７をソケット４６に嵌合させる。
【００４４】
これにより、図５に示すように、モルタル圧送ホース４０の先端にカップリング４５、雌継手１５及び雄継手３を介して吹付ガン４１を取り付けることができ、図６に示すように、モルタル圧送ホース４０の先端に吹付ガン４１を雄継手３及び雌継手１５を介して屈曲自在かつ回転自在（首振り自在）に取り付けることができる。
【００４５】
なお、雌継手１５の締付リング１９の内側に雄継手３を基端側から挿通させた後に、雄継手３をカップリング４５のソケット４６及びプラグ４７を介してモルタル圧送ホース４０の先端に取り付け、この後に、雄継手３の摺動部６を雌継手１５の軸受部３０の内側に挿入し、締付リング１９と本体１７とをねじ２１によって締結させることにより、モルタル圧送ホース４０の先端にカップリング４５、雌継手１５及び雄継手３を介して吹付ガン４１を取り付けるように構成してもよい。
【００４６】
そして、図７に示すモルタル供給装置５０を作動させて、コンプレッサー５１からエア圧送ホース５２を介して吹付ガン４１にエアを供給し、急結剤ポンプ５３から急結剤圧送ホース５４を介して吹付ガン４１に急結剤を供給し、モルタルミキサー５５から、モルタルポンプ５６及びモルタル圧送ホース４０を介して吹付ガン４１にモルタル６５を供給し、吹付ガン４１のノズル４２からエアーの圧力により、図８に示す床版６０の下面に向けてモルタル６５と急結剤との混合物（以下、この混合物をモルタル６５という。）を噴射させることにより、床版６０の下面側にモルタル６５を吹き付ける。
【００４７】
この場合、図８〜図１０に示す各縦筋６１又は各横筋６２の略真下において、作業者がモルタル圧送ホース４０及び吹付ガン４１を手で持って、図８に矢印で示すように、各縦筋６１又は各横筋６２に沿ってモルタル圧送ホース４０及び吹付ガン４１を移動させながら、また、必要に応じて、図９及び図１０に示すように、吹付ガン４１をモルタル圧送ホース４０に対して傾け、或いは回転させて向きを変えて、ノズル４２からのモルタル６５の噴射角度を調整しながら、各縦筋６１又は各横筋６２と床版６０の下面との間に向けて左右両側からモルタル６５を吹き付けることにより、各縦筋６１及び各横筋６２をモルタル６５内に埋没させる。
【００４８】
そして、この後、図１１に示すように、床版６０の下面側の全体に所定の厚さでモルタル６５を吹き付け、図１２に示すように、モルタル６５の表面が平滑になるようにコテ６３で均すことにより、床版６０の下面側を増厚補強することができる。
【００４９】
上記のように構成した本実施の形態の継手構造１にあっては、作業者は、モルタル圧送ホース４０及び吹付ガン４１を手で持った状態で、各縦筋６１及び各横筋６２の略真下を各縦筋６１及び各横筋６２に沿って移動しながら、吹付ガン４１をモルタル圧送ホース４０に対して所定の範囲内で屈曲かつ回転させることにより、吹付ガン４１からのモルタル６５の噴射角度を変えることができるので、従来のように、作業者が作業位置を頻繁に変えることによって、吹付ガン４１からのモルタル６５の噴射角度を変える必要がなくなり、モルタル６５の吹き付けに要する手間を大幅に削減することができ、作業者の負担を軽減させることもできる。
【００５０】
また、モルタル圧送ホース４０に対して吹付ガン４１を屈曲かつ回転させることにより、所定の範囲内で吹付ガン４１からモルタル６５の噴射角度を任意に調整できるので、床版６０からのモルタル６５のリバンドを減らすことができ、モルタル６５の無駄を低減させることができる。
【００５１】
さらに、管継手２の雄継手３の摺動部６の外周面にはＯリング８が装着され、雄継手３を雌継手１５の軸受部３０で回転させて、雄継手３を雌継手１５に対して屈曲かつ回転させた場合に、雄継手３の摺動部６の外周面のＯリング８でモルタル６５を圧送方向に押し出すことができるので、雄継手３の摺動部６と雌継手１５の軸受部３０との間にモルタル６５が滞留して、雄継手３の摺動部６の雌継手１５の軸受部３０に対する動きを阻害するようなことはなく、雌継手１５の軸受部１５で雄継手３の摺動部６を回転自在に支持し続けることができる。
【００５２】
さらに、吹付ガン４１をモルタル圧送ホース４０に取り付ける管継手２は、雄継手３と雌継手１５とからなり、雄継手３の摺動部６を雌継手１５の軸受部３０で回転自在に支持した簡単な構造のものであって、各部品の製作を容易にすることができ、製作費を低減させることができる。
【００５３】
さらに、管継手２の雌継手１５は、軸線と直交する方向に２つに分割、組み立て可能に構成されているので、管継手２の分解、組立を容易にすることができ、管継手２のメンテナンスを容易に行うことができる。さらに、雌継手１５を２つに分割した状態で雄継手３に取り付けることができるので、雌継手１５を弾性変形させることなく、雄継手３に取り付けることができる。さらに、雌継手１５を高剛性の材料で形成することができるので、モルタル６５の高圧が作用しても、雌継手１５が変形するようなことはなく、雌継手１５を雄継手３に取り付けた状態を保つことができる。
【００５４】
なお、本実施の形態においては、雌継手１５を大径部２６の軸線方向の中央部から軸線と直交する方向に本体１７と締付リング１９の２つに分割、組立可能に構成したが、３つ以上に分割、組立可能に構成してもよい。また、軸線と直交する方向に限らず、軸線と所定の角度で交差する方向に分割、組立可能に構成してもよい。但し、何れの場合においても、雌継手１５の軸受部３０に雄継手３の摺動部６を収容した状態で組み付けることができるように、分割面を設定する必要がある。
【００５５】
さらに、図１３及び図１４に示すように、雌継手１５の本体１７を軸線方向に２つ又は３つ以上（図１２及び図１３では２つ）に分割、組立可能に構成し、分割部分１７ａ、１７ｂの分割面同士を互いに密着させ、両分割部分１７ａ、１７ｂの周方向の両端外周側に設けたフランジ１７ｃ１７ｃ間にねじ２１を挿通させて締め付けることにより、一体に組み立てるように構成してもよい。この場合、分割部分１７ａ、１７ｂの周方向の一端間をヒンジを介して回動自在に連結してもよい。
【００５６】
さらに、前記の説明においては、雄継手３の貫通孔４を直孔５によって構成し、雌継手１５の貫通孔１６を直孔２８とテーパ孔２９とによって構成したが、雄継手３の貫通孔４を直孔とテーパ孔とによって構成し、雌継手１５の貫通孔１６を直孔によって構成しても良い。
【００５７】
さらに、前記の説明においては、本発明による継手構造１をモルタル圧送ホース４０に吹付ガン４１を取り付ける場合に適用したが、配管と配管との接続、ホースとホースとの接続、配管とホースとの接続等に適用してもよいものであり、その場合には、配管と配管との接続部、ホースとホースとの接続部、配管とホースとの接続部の角度調整を容易にすることができる。
【００５８】
さらに、前記の説明においては、モルタル６５を圧送する場合に本発明を適用したが、空気等の気体や水等の液体等の流体の圧送に本発明を適用してもよい。
【符号の説明】
【００５９】
１  継手構造
２  管継手
３  雄継手
４  貫通孔
５  直孔
６  摺動部
７  パッキン溝
８  シール材（Ｏリング）
９  雄ねじ部
１０  大径部
１１  スパナ掛け部
１２  小径部
１３  テーパ部
１５  雌継手
１６  貫通孔
１７  本体
１８  ねじ孔
１９  締付リング
２０  挿通孔
２１  ねじ
２２  小径部
２３  雄ねじ部
２４  中径部
２５  スパナ掛け部
２６  大径部
２７  テーパ部
２８  直孔
２９  テーパ孔
３０  軸受部
４０  一方の部材（モルタル圧送ホース）
４１  吹付ガン
４２  ノズル
４３  他方の部材（モルタル供給口）
４４  雌ねじ部
４５  カップリング
４６  ソケット
４７  プラグ
５０  モルタル供給装置
５１  コンプレッサー
５２  エア圧送ホース
５３  急結剤ポンプ
５４  急結剤圧送ホース
５５  モルタルミキサー
５６  モルタルポンプ
６０  床版
６１  縦筋
６２  横筋
６３  コテ
【図２】
2012107646.tif 000003
【図３】
2012107646.tif 000004
【図４】
2012107646.tif 000005
【図５】
2012107646.tif 000006
【図６】
2012107646.tif 000007
【図７】
2012107646.tif 000008
【図８】
2012107646.tif 000009
【図９】
2012107646.tif 000010
【図１０】
2012107646.tif 000011
【図１１】
2012107646.tif 000012
【図１２】
2012107646.tif 000013
【図１３】
2012107646.tif 000014
【図１４】
2012107646.tif 000015
【図１５】
2012107646.tif 000016
【図１６】
2012107646.tif 000017
【図１７】
2012107646.tif 000018
【図１】
2012107646.tif 000019